(57)【要約】  コンテンツ出力装置である端末装置（１００Ａ〜Ｃ）を制御可能な制御装置である端末装置（１００Ａ）では、出力コンテンツに含まれる１つ以上の要素それぞれの要素種またはパラメータと、１台以上の端末装置それぞれの有する属性情報または状態情報とに基づいて、１台以上の端末装置の中から上記要素のそれぞれを出力するのに適した出力装置を決定する（Ｓ４）。これにより、制御装置は、１台以上の出力装置に協働して１つのコンテンツを効果的に出力させることができる。
2017038852.tif 000002
【特許請求の範囲】
【請求項１】
コンテンツを出力するための出力部を備えた複数の出力装置を制御可能な制御装置であって、
出力される出力コンテンツに含まれる１つ以上の各要素の要素種またはパラメータと、前記出力装置が有する属性情報または状態情報とに基づいて、前記複数の出力装置の中から、前記各要素のそれぞれを出力するのに適した出力装置を決定するための決定部と、
前記出力コンテンツに含まれる前記１つ以上の各要素の出力に必要なデータを前記決定部により決定された各出力装置に送信し、該各出力装置に該データの少なくとも一部を出力するよう指示するための出力制御部とを備える、制御装置。
【請求項２】
前記要素種は、画像、文字、および音声の少なくとも１つを含み、
前記パラメータは、前記要素種が画像の場合にはアスペクト比を含み、前記要素種が文字の場合には文字数および文字方向の少なくとも１つを含み、前記要素種が音声の場合にはステレオの指定およびモノラルの指定の少なくとも１つを含む、請求項１に記載の制御装置。
【請求項３】
前記属性情報は、前記出力装置の前記要素種の出力能力を含み、
前記状態情報は、前記出力装置の向きおよび周辺の環境を表わす値の少なくとも１つを含む、請求項１または２に記載の制御装置。
【請求項４】
請求項１〜３のいずれかに記載の制御装置を搭載した、コンテンツを出力可能な出力装置であって、
コンテンツを出力するための出力部と、
当該出力装置から、予め規定された範囲内に存在する出力装置を検出するための検出部とを備え、
前記決定部は、前記検出部によって検出された前記予め規定された範囲内に存在する出力装置が有する属性情報または状態情報と、前記出力コンテンツに含まれる１つ以上の各要素の要素種またはパラメータとに基づいて、前記検出部によって検出された１台以上の出力装置の中から、前記出力コンテンツに含まれる１つ以上の各要素のそれぞれを出力するのに適した出力装置を決定する、出力装置。
【請求項５】
前記検出部によって前記予め規定された範囲に存在することが検出された１台以上の出力装置をグループ化する処理を行なうためのグループ管理部をさらに備え、
前記グループ管理部は、前記グループ化する処理によってグループ化された出力装置が前記検出部によって前記予め規定された範囲に存在することが検出されなくなると、前記存在することが検出されなくなった出力装置を前記グループ化から解除する、請求項４に記載の出力装置。
【請求項６】
１台以上の出力装置で、１つ以上の要素を含む出力コンテンツを出力する方法であって、
前記１つ以上の要素それぞれの要素種またはパラメータと、前記出力装置それぞれの有する属性情報または状態情報とに基づいて、前記１台以上の出力装置の中から、前記要素のそれぞれを出力するのに適した出力装置を決定するステップと、
前記出力コンテンツに含まれる前記１つ以上の各要素の出力に必要なデータを前記決定するステップにおいて決定された各出力装置に送信し、該各出力装置に該データの少なくとも一部を出力するよう指示するステップとを備える、出力方法。
【発明の詳細な説明】
【技術分野】
【０００１】
本出願は、２０１５年９月３日に出願された特願２０１５−１７３８７５号に対して、優先権の利益を主張するものであり、それを参照することにより、その内容のすべてを本書に含める。【０００２】
この開示は制御装置、出力装置、および出力方法に関し、特に、コンテンツの出力装置を制御可能な制御装置、当該制御装置を搭載した出力装置、および当該出力装置での出力方法に関する。
【背景技術】
【０００３】
音声、文字、静止画などの複数の要素を含むコンテンツがある。このようなコンテンツを複数の出力装置で協働して出力する場合がある。たとえば、ある出力装置が音声を出力し、ある出力装置が文字を出力し、ある出力装置が静止画を出力する、などと協働して当該１つのコンテンツが出力される。【０００４】
たとえば特開２０１０−２６２１５号公報（特許文献１）は、動画像データを出力可能な端末装置を複数集合させて１つのコンテンツを出力する方法を開示している。特許文献１に開示された端末装置は、他の装置の接近を検出し、相対位置を検知する相対位置検出手段を有する。そして、端末装置は、コンテンツ出力時に、ユーザ設定を必要とせずに瞬時に出力を実現するための設定を行なう。
【先行技術文献】
【特許文献】
【０００５】
【特許文献１】特開２０１０−２６２１５号公報
【発明の概要】
【発明が解決しようとする課題】
【０００６】
しかしながら、特許文献１に開示されている方法はコンテンツに含まれる要素の種類を考慮して出力する端末装置が決定されていない。そのため、端末装置の属性（画面サイズ、解像度、スピーカの品質等）がコンテンツの要素の出力するための条件に合わない場合にはコンテンツの出力が効果的に実現されない場合もある。【０００７】
本開示のある局面における目的は、１台以上の出力装置に協働して１つのコンテンツを効果的に出力させることのできる制御装置を提供することである。また、他の局面における目的は、１台以上で協働して１つのコンテンツを効果的に出力することのできる出力装置を提供することである。また、他の局面における目的は、１台以上の出力装置で協働して１つのコンテンツを効果的に出力することのできる出力方法を提供することである。また、他の局面における目的は、１台以上の出力装置に協働して１つのコンテンツを効果的に出力させることのできる制御装置の制御プログラムを提供することである。
【課題を解決するための手段】
【０００８】
ある実施の形態に従うと、制御装置はコンテンツを出力するための出力部を備えた複数の出力装置を制御可能な制御装置であって、出力される出力コンテンツに含まれる１つ以上の各要素の要素種またはパラメータと、出力装置が有する属性情報または状態情報とに基づいて、複数の出力装置の中から、各要素のそれぞれを出力するのに適した出力装置を決定するための決定部と、出力コンテンツに含まれる１つ以上の各要素の出力に必要なデータを決定部により決定された各出力装置に送信し、該各出力装置に該データの少なくとも一部を出力するよう指示するための出力制御部とを備える。【０００９】
好ましくは、要素種は、画像、文字、および音声の少なくとも１つを含み、パラメータは、要素種が画像の場合にはアスペクト比を含み、要素種が文字の場合には文字数および文字方向の少なくとも１つを含み、要素種が音声の場合にはステレオの指定およびモノラルの指定の少なくとも１つを含む。【００１０】
好ましくは、属性情報は出力装置の要素種の出力能力を含み、状態情報は、出力装置の向きおよび周辺の環境を表わす値の少なくとも１つを含む。【００１１】
好ましくは、決定部は、出力対象のコンテンツに含まれる１つ以上の要素それぞれについて、属性が当該要素のパラメータで表わされる当該要素の出力条件に最も近い出力装置を、要素の出力に適した出力装置として決定する。【００１２】
他の実施の形態に従うと、出力装置は上記の制御装置を搭載した、コンテンツを出力可能な出力装置であって、コンテンツを出力するための出力部と、当該出力装置から、予め規定された範囲内に存在する出力装置を検出するための検出部とを備える。決定部は、検出部によって検出された前記予め規定された範囲内に存在する出力装置が有する属性情報または状態情報と、出力コンテンツに含まれる１つ以上の各要素の要素種またはパラメータとに基づいて、検出部によって検出された１台以上の出力装置の中から、出力コンテンツに含まれる１つ以上の各要素のそれぞれを出力するのに適した出力装置を決定する。【００１３】
好ましくは、出力装置は、検出部によって予め規定された範囲に存在することが検出された１台以上の出力装置をグループ化する処理を行なうためのグループ管理部をさらに備える。グループ管理部は、グループ化する処理によってグループ化された出力装置が検出部によって予め規定された範囲に存在することが検出されなくなると、存在することが検出されなくなった出力装置をグループ化から解除する。【００１４】
他の実施の形態に従うと、出力方法は、１台以上の出力装置で１つ以上の要素を含む出力コンテンツを出力する方法であって、１つ以上の要素それぞれの要素種またはパラメータと、出力装置それぞれの有する属性情報または状態情報とに基づいて、１台以上の出力装置の中から、要素のそれぞれを出力するのに適した出力装置を決定するステップと、出力コンテンツに含まれる１つ以上の各要素の出力に必要なデータを決定するステップにおいて決定された各出力装置に送信し、該各出力装置に該データの少なくとも一部を出力するよう指示するステップとを備える。【００１５】
他の実施の形態に従うと、制御プログラムは、コンテンツを出力するための出力部を備えた１台以上の出力装置を制御可能な制御装置のプログラムである。このプログラムは制御装置に、出力される出力コンテンツに含まれる１つ以上の要素それぞれの要素種またはパラメータと、出力装置それぞれの有する属性情報または状態情報とに基づいて、１台以上の出力装置の中から、要素のそれぞれを出力するのに適した出力装置を決定するステップと、出力コンテンツに含まれる１つ以上の各要素の出力に必要なデータを決定するステップにおいて決定された各出力装置に送信し、該各出力装置に該データの少なくとも一部を出力するよう指示するステップを実行させる。
【発明の効果】
【００１６】
この開示によると、１台以上の出力装置に、協働して１つのコンテンツを効果的に出力させることができる。
【図面の簡単な説明】
【００１７】
【図１】端末装置の装置構成の具体例を表わしたブロック図である。
【図２】端末装置の動作概要を表わした図である。
【図３】端末装置に表示される選択画面の一例を表わした図である。
【図４】端末装置の機能構成の一例を表わしたブロック図である。
【図５】端末装置の動作の流れの一例を表わしたフローチャートである。
【図６】図５のステップＳ１０３の処理の一例を表わした図である。
【図７】図５のステップＳ１１５の処理の一例を表わした図である。
【図８】図５のステップＳ１１５の処理の一例を表わした図である。
【発明を実施するための形態】
【００１８】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１９】
［第１の実施の形態］
＜装置構成＞
図１は、第１の実施の形態にかかるコンテンツの出力装置の一例としての端末装置１００の装置構成の具体例を表わしたブロック図である。端末装置１００はコンテンツを出力可能な装置であればどのような装置であってもよい。ここで、コンテンツの出力とは、コンテンツが音声の時は出力、静止画、動画の時は再生、表示、文字の時は表示を行なうことと解釈し得る。端末装置１００は、たとえば、スマートフォン、タブレット端末、ゲーム機、デジタルカメラ、ビデオカメラ、ＰＣ（パーソナルコンピュータ）などである。
【００２０】
図１を参照して、端末装置１００は、装置全体を制御するための制御装置であるＣＰＵ（Central  Processing  Unit）１０と、ＣＰＵ１０で実行されるプログラムを記憶するためのＲＯＭ（Read  Only  Memory）１１と、ＣＰＵ１０がプログラムを実行する際の作業領域となったり各種情報を記憶するためのＲＡＭ（Random  Access  Memory）１２とを含む。さらに、端末装置１００は、スピーカ１３と、ディスプレイ１４と、キーなどの入力装置１５と、センサ１８とを含む。また、端末装置１００は、他の端末装置１００と無線通信するための第１通信装置１６と、インターネットなどのネットワークを介して図示しないサーバなどの他の装置と通信するための第２通信装置１７とを含む。スピーカ１３やディスプレイ１４は、端末装置１００でコンテンツを出力するための出力部に相当する。センサ１８は、照度センサやマイクや加速度センサなどの、出力部の周辺の環境を検知するためのセンサである。センサ１８で検知された照度や音声や端末装置自身の向きなどの、出力部の周辺の環境を表わす値であるセンサ値は、ＣＰＵ１０に入力される。
【００２１】
＜動作概要＞
図２は、第１の実施の形態にかかる端末装置１００の動作概要を表わした図である。図２を参照して、第１の実施の形態において、第１の端末装置である端末装置１００Ａは、コンテンツの出力装置である、自身を含めた１台以上の端末装置の制御装置として機能する。端末装置１００Ａは、出力対象のコンテンツである出力コンテンツＡを記憶している。出力コンテンツＡは、端末装置１００Ａに対して図示しないサーバや他の端末装置などの他の装置から提供され、端末装置１００Ａのメモリ（ＲＡＭ１２）に格納されているものである。
【００２２】
制御装置である端末装置１００Ａに第２の端末装置である端末装置１００Ｂおよび第３の端末装置である端末装置１００Ｃなどの他の端末装置が接近したとする（ステップＳ１−１，Ｓ１−２）。端末装置１００Ａは、たとえば端末装置１００Ｂ，１００Ｃとの間の無線通信の強度などによって、これら端末装置１００Ｂ，１００Ｃが接近し、予め規定された範囲に存在することを検出する。端末装置１００は、センサ１８によって端末装置１００Ｂ，１００Ｃが接近し、予め規定された範囲に存在することを検出してもよい。予め規定された範囲は、制御装置である端末装置１００Ａからの距離が、当該端末装置１００Ａに他の端末装置が接触または接近していると認められる距離の範囲を指す。
【００２３】
端末装置１００Ａは、たとえば最初に上記範囲に他の端末装置が存在することを検出したタイミングから予め規定された期間に検出された端末装置や、予め規定された数や、ユーザの特定の操作によって検出された端末装置など、上記範囲に存在することを検出した１台以上の端末装置を、出力対象のコンテンツを出力する端末装置群としてグループ化する。当該グループには、制御装置である端末装置１００Ａが含まれていてもよいし、含まれていなくてもよい。
【００２４】
なお、端末装置１００Ａは、以降の動作中にも上記予め規定された範囲に他の端末装置１００が存在するか否かを監視し続けていてもよい。そして、端末装置１００Ａは、上記範囲に存在する端末装置に変化が生じた場合、検出結果に基づいてグループを更新してもよい。
【００２５】
出力対象のコンテンツは、以降の動作を開始する際に端末装置１００Ａですでに出力されているコンテンツであってもよい。たとえば、あるユーザが端末装置１００Ａで出力コンテンツＡを出力中であったところ、他のユーザが、出力コンテンツＡを自身の端末装置１００Ｂ，１００Ｃで協働して出力させようとそれぞれの端末装置１００Ｂ，１００Ｃを持ち寄って接近させた状況などが想定される。
【００２６】
制御装置である端末装置１００Ａは、端末装置１００Ｂ，１００Ｃをグループ化すると、各端末装置１００Ｂ，１００Ｃから属性情報を取得する（ステップＳ２−１，Ｓ２−２）。ステップＳ２−１，Ｓ２−２で取得される属性情報には、当該端末装置１００におけるコンテンツの出力に関する属性情報が含まれる。コンテンツの出力に関する属性情報は要素種ごとの当該要素の出力能力を表わす情報であって、たとえば、ディスプレイ１４のサイズ（アスペクト比）、解像度、表示可能な文字数、スピーカ１３の周波数特性、ステレオ／モノラル、などである。端末装置１００Ａは、各端末装置１００の属性情報をメモリ（ＲＡＭ１２）に予め記憶しておき、グループ化した端末装置１００の属性情報をメモリから読み出すことによって取得してもよい。
【００２７】
好ましくは、端末装置１００Ａは、グループ化した各端末装置１００Ｂ，１００Ｃからさらに状態情報を取得する。状態情報は、コンテンツの出力装置の状態を表わした情報であって、端末装置の向きや、端末装置の周辺の照度や、端末装置の周辺の音量などを含む。制御装置である端末装置１００Ａは、予め定められたタイミングに各端末装置１００から状態情報を取得してメモリに記憶しておき、グループ化した端末装置１００の属性情報をメモリから読み出すことによって取得してもよい。
【００２８】
次に、端末装置１００Ａは、出力対象のコンテンツである出力コンテンツＡに関する情報を、ＲＡＭ１２に用意されているコンテンツに関する情報を記憶するための記憶領域であるコンテンツテーブルから取得する（ステップＳ３）。出力コンテンツＡに関する情報は、出力コンテンツＡに含まれる１以上の要素それぞれの要素種および当該要素種におけるパラメータを含む。コンテンツに含まれる１以上の要素の要素種は、たとえば、静止画、動画、音声、文字データなどの、コンテンツを構成する要素を特定する情報である。要素種におけるパラメータは、たとえば、要素種が画像である場合にはアスペクト比やサイズ、要素種が音声である場合にはステレオかモノラルか、要素種が文字である場合には文字数、文字方向、表示に必要な解像度やフォントなどを含む。
【００２９】
コンテンツテーブルへの出力コンテンツＡに関する情報の登録は、出力コンテンツＡが端末装置１００Ａに格納されたタイミングで自動的に行なわれてもよい。または、端末装置１００Ａがユーザ操作に従ってコンテンツテーブルに出力コンテンツＡに関する情報を登録、変更してもよい。
【００３０】
コンテンツテーブルは、サーバなど端末装置１００Ａ外の装置に記憶されていてもよい。この場合、端末装置１００Ａは当該装置に記憶されているコンテンツテーブルにアクセスして該当する出力コンテンツＡに関する情報を読み出す。
【００３１】
制御装置である端末装置１００Ａは、出力コンテンツＡに含まれる１以上の要素それぞれの要素種またはパラメータと、各端末装置１００Ｂ，１００Ｃから取得した属性情報に基づいて、グループに属する端末装置の中から１以上の要素それぞれの出力に適した出力装置を決定する（ステップＳ４）。出力コンテンツＡに含まれる１つの要素の要素種が画像（静止画、動画）の場合、端末装置１００Ａは、当該画像の再生に適切なアスペクト比であるディスプレイを有する端末装置１００を、出力コンテンツＡの画像を出力する出力装置として決定する。たとえば、搭載されているディスプレイ１４のアスペクト比がコンテンツに含まれる画像のアスペクト比に合致しない端末装置１００では当該画像が高品質で出力されないためである。さらに、出力コンテンツに要素種が文字である要素が含まれる場合、端末装置１００Ａは、出力コンテンツの画像を出力する出力装置として決定された端末装置以外の端末装置の中から、当該文字のデータ量（文字数）以上の文字を表示可能なディスプレイを有する端末装置１００を出力コンテンツの文字を出力する出力装置として決定する。また、この場合、端末装置１００Ａは、たとえば英文、日文、または文字方向などの文字である要素種におけるパラメータから文字列が横書きか縦書きかを特定し、当該文字方向を表示可能なディスプレイを有する端末装置を出力コンテンツの文字を出力する出力装置として決定する。なお、端末装置１００Ａは、文字が横書きか縦書きかの判断を、出力コンテンツＡに付加された情報や、文字列内に含まれるスペースの方向に基づいて行なってもよい。さらに、出力コンテンツに要素種が音声であってステレオ音声である要素が含まれる場合、端末装置１００Ａは、出力コンテンツＡの画像を出力する出力装置、および文字を出力する出力装置として決定された端末装置以外の端末装置の中から、音声をステレオ出力が可能なスピーカを有する端末装置１００を、出力コンテンツＡの音声を出力する出力装置として決定する。たとえば、コンテンツに含まれる音声がステレオである場合には搭載されているスピーカ１３の特性がモノラルである端末装置１００は当該音声を高品質で出力することができないためである。このように、ステップＳ４で端末装置１００Ａは、グループに属する端末装置のうちの出力コンテンツＡに含まれる１以上の要素それぞれの要素種またはパラメータで表わされる出力条件を満たす端末装置を、当該要素の出力に適した出力装置として決定する。
【００３２】
好ましくは、ステップＳ４で端末装置１００Ａは、さらに、各端末装置１００Ｂ，１００Ｃの状態情報に基づいて１以上の要素それぞれの出力に適した出力装置を決定する。出力コンテンツＡに含まれる１つの要素の要素種が画像（静止画、動画）の場合、端末装置１００Ａは、ディスプレイ１４が当該画像の再生に適切な方向に置かれている端末装置１００を、出力コンテンツＡの画像を出力する出力装置として決定する。たとえば、出力コンテンツの画像の向きが横長である場合に、縦長の向きに置かれている（縦置き）端末装置１００では当該画像が高品質で出力されないためである。
【００３３】
また、端末装置１００Ａは、出力コンテンツＡに含まれる１つの要素の要素種が画像（静止画、動画）の場合、周辺の照度が予め定められた照度以上である端末装置１００を出力コンテンツＡの画像を出力する出力装置として決定する。たとえば、カメラや照度センサであるセンサ１８によって周辺の照度が低いことが検出されている端末装置１００はディスプレイ１４上に物体が置かれている可能性があるので、当該端末装置１００ではユーザに適切に視認性よく画像を出力することができないためである。
【００３４】
また、出力コンテンツに要素種が文字である要素が含まれる場合、端末装置１００Ａは、文字が横書きか縦書きかに応じて、ディスプレイ１４の向きが文字方向に応じた向きの状態である端末装置１００を出力コンテンツの文字を出力する出力装置として決定する。たとえば、端末装置１００Ａは、出力コンテンツＡの文字が縦書きである場合にはディスプレイ１４を縦長な状態とする縦置きの端末装置１００を、横書きである場合にはディスプレイ１４を横長な状態とする横置きの端末装置１００を、出力コンテンツの文字を出力する出力装置として決定する。または、端末装置１００Ａは、出力コンテンツＡの文字が縦書きである場合にはディスプレイ１４を横長な状態としている端末装置１００を、横書きである場合にはディスプレイ１４を縦長な状態としている端末装置１００を出力コンテンツの文字を出力する出力装置として決定してもよい。
【００３５】
好ましくはステップＳ４で端末装置１００Ａは、グループ化された端末装置のうち、出力コンテンツＡに含まれる１以上の要素それぞれの要素種またはパラメータで表わされる出力条件に最も近い属性情報を有する端末装置を当該要素の出力に適した出力装置として決定する。より好ましくは、ステップＳ４で端末装置１００Ａは、各要素の要素種またはパラメータで表わされる出力条件に合致する端末装置がグループ内にない場合に、当該グループの端末装置のうちから該出力条件に最も近い属性情報を有する端末装置を当該要素の出力に適した出力装置として決定する。
【００３６】
または、制御装置である端末装置１００Ａは、要素ごとに当該要素を出力する端末装置を選択するユーザ操作を受け付けて、ステップＳ４で当該操作に従って出力する端末装置を決定してもよい。この場合、端末装置１００Ａは上記範囲に存在する端末装置１００をグループ化し、出力コンテンツＡに関する情報をコンテンツテーブルから読み出すと、図３の選択画面をディスプレイ１４に表示してユーザ操作を受け付ける。図３においては、出力コンテンツＡに含まれる１以上の要素それぞれについて、グループ化した端末装置が選択可能に提示される。
【００３７】
出力コンテンツＡに含まれる１以上の要素ごとに当該要素の出力に適した端末装置を決定すると、制御装置である端末装置１００Ａは、決定した各端末装置に該当する要素のデータと少なくとも一部の出力を指示するコマンドとを送信することによって、当該端末装置に当該要素の少なくとも一部の出力を指示する。ステップＳ４で端末装置１００Ａが、出力コンテンツＡに含まれる文字の出力に適した端末装置を端末装置１００Ｂ、音声の出力に適した端末装置を端末装置１００Ｃと決定したとする。このとき、端末装置１００Ａは、出力コンテンツＡに含まれる文字データと当該文字の少なくとも一部の出力（表示）を指示するコマンドとを端末装置１００Ｂに送信することによって、端末装置１００Ｂに文字の少なくとも一部の出力（表示）を指示する（ステップＳ５−１）。また、端末装置１００Ａは、出力コンテンツＡに含まれる音声データと当該音声の少なくとも一部の出力を指示するコマンドとを端末装置１００Ｃに送信することによって、端末装置１００Ｃに音声の少なくとも一部の出力を指示する（ステップＳ５−２）。
【００３８】
制御装置である端末装置１００Ａで以上の制御が行なわれることによって、出力コンテンツＡに含まれる１以上の要素それぞれが、グループ化された端末装置のうちの当該要素の出力に適した属性情報を有する端末装置において出力される。
【００３９】
＜機能構成＞
図４は、上記動作を行なうための、制御装置としての端末装置１００の機能構成の一例を表わしたブロック図である。図４の各機能は、端末装置１００のＣＰＵ１０がＲＯＭ１１に記憶されているプログラムをＲＡＭ１２上に読み出して実行することで、主にＣＰＵ１０で実現される。しかしながら、少なくとも一部機能が図１に表わされた他のハードウェア、または図示されていない電気回路などの他のハードウェアなどによって実現されてもよい。
【００４０】
図４を参照して、端末装置１００のＣＰＵ１０は、検出部１０１とグループ管理部１１１と属性入力部１０２と格納部１０３と属性取得部１０４とを含む。ＣＰＵ１０は、さらに、パラメータ取得部１０５と決定部１０６と出力制御部１０７とを含む。
【００４１】
検出部１０１は、通信強度などに基づいて予め規定された範囲に存在する他の端末装置を検出する。グループ管理部１１１は、検出部１０１での検出結果を監視して、検出された１台以上の端末装置をグループ化、またはグループの更新を行なう。
【００４２】
属性入力部１０２はグループ化された他の端末装置から、コンテンツの出力に関する属性情報を表わした情報の入力を受け付け、格納部１０３が当該情報をＲＡＭ１２に用意されている属性記憶部１２１に格納する。属性記憶部１２１は、端末装置ごとにコンテンツの出力に関する属性情報を記憶する。属性取得部１０４は、属性記憶部１２１からグループ化された端末装置それぞれのコンテンツの出力に関する属性情報を取得する。属性入力部１０２は、他の端末装置から、さらに、状態情報の入力を受け付けてもよい。この場合、属性取得部１０４は、ＲＡＭ１２に格納された状態情報の中からグループ化された端末装置それぞれの状態情報を取得する。
【００４３】
また、パラメータ取得部１０５は、ＲＡＭ１２に用意されているコンテンツテーブル記憶部１２２に記憶されているコンテンツテーブルから、出力コンテンツＡに含まれる１以上の要素それぞれのパラメータを取得する。コンテンツテーブルが他の装置に格納されている場合には、パラメータ取得部１０５は当該他の装置に格納されているコンテンツテーブルにアクセスして、出力コンテンツＡに含まれる１以上の要素それぞれのパラメータを取得する。
【００４４】
決定部１０６は、グループ化された端末装置の中から、出力コンテンツＡに含まれる１以上の要素ごとに、属性情報が要素種またはパラメータで表わされる出力条件に適している端末装置を当該要素の出力に適した出力装置である端末装置として決定する。好ましくは、決定部１０６は、出力コンテンツＡに含まれる１以上の要素ごとに、さらに、状態情報が要素種またはパラメータで表わされる出力条件に適している端末装置を当該要素の出力に適した出力装置である端末装置として決定する。出力制御部１０７は、出力コンテンツＡに含まれる１以上の要素ごとに、決定部１０６によって当該要素の出力に適した出力装置として決定された端末装置に当該要素の出力に必要なデータを送信し、当該端末装置に当該要素の少なくとも一部の出力を指示する。
【００４５】
好ましくは、ＣＰＵ１０は、さらに、コンテンツ入力部１０８と格納部１０９とを含む。コンテンツ入力部１０８は、サーバなどの図示しない他の装置から出力コンテンツＡの入力を受け付ける。格納部１０９は出力コンテンツＡを解析することによって出力コンテンツＡに含まれる１以上の要素ごとのパラメータを特定し、コンテンツテーブル記憶部１２２に記憶されている、図２に表わされたようなコンテンツテーブルに出力コンテンツＡに関する情報を格納する。
【００４６】
好ましくは、ＣＰＵ１０は、さらに、入力装置１５からユーザ指示を受け付けるための指示入力部１１０を含む。指示入力部１１０によって受け付けたユーザ指示が、図３の選択画面における、出力コンテンツＡに含まれる１以上の要素それぞれに出力装置とする端末装置を選択する指示であった場合、指示入力部１１０は、当該指示を決定部１０６に渡す。決定部１０６は、当該ユーザ指示に従って、出力コンテンツＡに含まれる１以上の要素それぞれの出力装置を決定する。
【００４７】
＜動作フロー＞
図５は、制御装置として機能する端末装置１００の動作の流れの一例を表わしたフローチャートである。図５のフローチャートに表わされた動作は、端末装置１００のＣＰＵ１０がＲＯＭ１１に記憶されているプログラムをＲＡＭ１２上に読み出して実行し、図４の各機能を発揮することによって実現される。
【００４８】
図５を参照して、端末装置１００のＣＰＵ１０は、たとえば無線通信の強度などに基づいて、予め規定された範囲内に存在する端末装置に変化が生じたか否かを判断する（ステップＳ１０１）。変化が生じた場合、つまり、上記範囲に新たな端末装置が入ったり、存在していた端末装置が上記範囲からなくなったりした場合（ステップＳ１０１でＹＥＳ）、ＣＰＵ１０は、１以上の端末装置からなるグループを管理するための処理を実行する（ステップＳ１０３）。
【００４９】
図６は、図５のステップＳ１０３の処理の一例を表わした図である。図６を参照して、端末装置１００のＣＰＵ１０は、当該端末装置１００から予め規定された距離内に他の端末装置１００が存在すること、または当該端末装置１００に他の端末装置１００が接触したことを検知すると（ステップＳ２０１でＹＥＳ）、上記範囲内に新たに検出された端末装置を当該端末装置１００の近傍に存在する端末装置のグループに加える（ステップＳ２０３）。具体的に、ＣＰＵ１０は、すでに記憶しているグループに属する端末装置の情報に、新たに検出した端末装置１００の情報を加えて更新する。
【００５０】
また、ＣＰＵ１０は、グループに属する端末装置が上記範囲から検出されなくなると（ステップＳ２０１でＮＯ、かつステップＳ２０５でＹＥＳ）、検出されなくなった端末装置をグループから削除するように、すでに記憶しているグループに属する端末装置の情報を更新する（ステップＳ２０７）。
【００５１】
ＣＰＵ１０は、グループの更新に伴って、新たにグループに属する端末装置のコンテンツの出力に関する属性情報を取得し、ＲＡＭ１２に記憶する。好ましくは、ＣＰＵ１０は、さらに、新たにグループに属する端末装置の状態情報を取得し、ＲＡＭ１２に記憶する。また、ＣＰＵ１０は、グループの更新に伴って、グループから削除された端末装置上記属性情報をＲＡＭ１２から削除してもよい。
【００５２】
図５の動作に戻って、ＣＰＵ１０は、出力対象のコンテンツである出力コンテンツＡがある場合（ステップＳ１０５でＹＥＳ）、以降の動作を行なう。出力コンテンツＡは、ユーザ操作によって指定されてもよい。または、ＣＰＵ１０は、すでに出力中のコンテンツＡがある場合に当該コンテンツを出力対象の出力コンテンツＡとしてもよい。
【００５３】
ＣＰＵ１０は、出力コンテンツＡに関する情報をコンテンツテーブルから読み出して、当該コンテンツに含まれる１以上の要素それぞれの要素種および／またはパラメータを取得する（ステップＳ１１１）。また、ＣＰＵ１０は、グループに属する端末装置それぞれの、コンテンツの出力に関する属性情報をＲＡＭ１２から読み出して取得する（ステップＳ１１３）。好ましくは、ステップＳ１１３でＣＰＵ１０は、さらに、グループに属する端末装置それぞれの状態情報をＲＡＭ１２から読み出して取得する。そして、ＣＰＵ１０は、出力対象のコンテンツに含まれる１以上の要素それぞれについて、当該要素の要素種および／またはパラメータで表わされる出力条件に合致する属性情報および／または状態情報を有する端末装置、または、当該出力条件に最も近い属性情報および／または状態情報を有する端末装置を、当該要素の出力に適した出力装置として決定する（ステップＳ１１５）。
【００５４】
図７および図８は、図５のステップＳ１１５の処理の一例を表わした図である。図７を参照して、出力コンテンツＡに含まれるある要素について、当該要素の要素種が画像である場合（ステップＳ３０１でＹＥＳ）、グループに属する１台以上の端末装置それぞれの属性情報を参照して、当該１台以上の端末装置の中から、搭載しているディスプレイ１４のアスペクト比が当該要素種におけるパラメータであるアスペクト比に対して適切な端末装置（端末Ａ）を抽出する（ステップＳ３０３）。なお、出力コンテンツＡの画像とアスペクト比の一致するディスプレイを搭載した端末装置が上記グループに存在しない場合は、ＣＰＵ１０は、上記グループに属する１台以上の端末装置それぞれに搭載されたディスプレイであって連続して配置されている１つ以上のディスプレイを合わせて１つのディスプレイとしてアスペクト比を算出した上で、当該要素種におけるパラメータであるアスペクト比に対して適切であるか否かを判断してもよい。または、ＣＰＵ１０は、出力コンテンツＡの画像のアスペクト比に最も近いアスペクト比のディスプレイを搭載した端末装置を抽出してもよい。または、ＣＰＵ１０は、グループに属する１台以上の端末装置のいずれかにガイダンスを表示するためのデータを送信し、ユーザに、当該コンテンツの画像のアスペクト比に適したアスペクト比のディスプレイを搭載した他の端末装置の準備を促してもよい。
【００５５】
なお、好ましくは、ＣＰＵ１０は、さらに、上記ステップＳ３０５で抽出した端末装置（端末Ａ）の状態情報より、当該端末装置が縦置きの状態であるか横置きの状態であるかを判断する。そして、たとえば出力コンテンツの画像の出力に適していないディスプレイが縦長となる縦置きの状態であった場合（ステップＳ３０５でＮＯ）、ＣＰＵ１０は、上記ステップＳ３０５で抽出された端末装置（端末Ａ）に対して、当該端末装置を横置きにすることを促すガイダンスを表示するためのデータを送信し（ステップＳ３０７）、端末Ａのユーザに出力コンテンツＡの画像を出力するための適したディスプレイの状態とすることを促してもよい。ＣＰＵ１０は、当該ガイダンスを端末装置１００Ａに表示してもよい。
【００５６】
出力コンテンツＡに、出力装置を決定していない要素が存在する場合（ステップＳ３０９でＮＯ）、ＣＰＵ１０は上記ステップＳ３０１からの動作を繰り返す。
【００５７】
出力コンテンツＡに含まれるある要素について、当該要素の要素種が文字である場合（ステップＳ３０１でＮＯ、かつステップＳ３１１でＹＥＳ）、上記グループに属する１台以上の端末装置の中から、画像の出力装置として決定された端末装置（端末Ａ）以外の端末装置（端末Ｂ’）を文字の出力装置として抽出する（ステップＳ３１７）。
【００５８】
好ましくは、出力コンテンツＡに含まれる文字データが予め規定されたデータ量以上であった場合には（ステップＳ３１３でＹＥＳ）、ＣＰＵ１０は上記グループに属する１台以上の端末装置それぞれの属性情報を参照して、当該１台以上の端末装置の中から、ディスプレイの解像度が予め規定された解像度以上である高解像度の端末装置（端末Ｂ）を抽出する（ステップＳ３１５）。
【００５９】
なお、好ましくは、ＣＰＵ１０は、さらに、上記ステップＳ３１５またはステップＳ３１７で抽出した端末装置（端末Ｂ）の状態情報より、当該端末装置が縦置きであるか横置きであるかを判断する。ＣＰＵ１０は、出力コンテンツＡの文字が縦書きである場合には縦置きとすることを促し、横書きである場合には横置きとすることを促す（逆であってもよい）抽出した端末装置（端末Ｂ）にガイダンスを表示するためのデータを送信して、端末Ｂのユーザに出力コンテンツＡの文字を出力するための適したディスプレイの状態とすることを促してもよい。ＣＰＵ１０は、当該ガイダンスを端末装置１００Ａに表示してもよい。
【００６０】
図７を参照して、出力コンテンツＡに含まれるある要素について、当該要素の要素種が音声である場合（ステップＳ３０１，Ｓ３１１でＮＯ、かつステップＳ３１９でＹＥＳ）、上記グループに属する１台以上の端末装置の中から、画像の出力装置として決定された端末装置（端末Ａ）および文字の出力装置として決定された端末装置（端末Ｂ，Ｂ’）以外の端末装置を音声の出力装置として抽出する（ステップＳ３２１）。好ましくは、ＣＰＵ１０は、要素種である音声におけるパラメータがステレオ音声である場合、左右音声それぞれのための２つの端末装置を抽出する。たとえば、１台以上の端末装置が１列に配置されている場合、ステップＳ３２１でＣＰＵ１０は、左右両端の２台の端末装置を、それぞれ左音声出力用、右音声出力用の出力装置として抽出する。
【００６１】
なお、好ましくは、ＣＰＵ１０は、さらに、上記ステップＳ３１５またはステップＳ３１７で抽出した端末装置（端末Ｂ）の状態情報より、当該端末装置が縦置きであるか横置きであるかを判断する。出力コンテンツＡの音声がステレオ音声である場合、ＣＰＵ１０は、にステレオ効果を高めるために、抽出した２台の端末装置に端末装置を横置きにすることを勧めるガイダンスを表示するためのデータを送信して、これら２台の端末装置それぞれのユーザに出力コンテンツＡの音声を出力するための適した端末装置の状態とすることを促してもよい。ＣＰＵ１０は、当該ガイダンスを端末装置１００Ａに表示してもよい。
【００６２】
出力コンテンツＡにさらにその他の要素が含まれる場合にも、ＣＰＵ１０は、上記各要素について出力装置として抽出された端末装置以外の端末装置の中から、プログラムに従って当該要素の要素種および／またはパラメータで表わされる出力条件に合致する属性情報および／または状態情報を有する端末装置、または、当該出力条件に最も近い属性情報および／または状態情報を有する端末装置を、当該要素の出力に適した出力装置として決定する（ステップＳ３２３）。
【００６３】
なお、図７および図８では、画像、文字、および音声の順で出力装置である端末装置を決定する方法が示されている。しかしながら、決定する要素種の順はこの順に限定されない。決定する要素種の順は予め端末装置１００Ａに設定されていてもよいし、ユーザが端末装置を決定する処理の前に設定してもよい。また、出力コンテンツごとに出力装置を決定する要素種の順が指定されていてもよい。また、端末装置１００Ａによって要素ごとに出力装置とする端末装置が決定された後に、端末装置１００Ａは図３のような画面に従って変更を指示するユーザ操作を受け付けて、当該操作に従って出力装置とする端末装置を変更してもよい。
【００６４】
ＣＰＵ１０は、出力コンテンツＡに含まれる１以上の要素それぞれについての出力装置を決定すると、出力装置として決定された各端末装置に当該要素を出力するためのデータと出力を指示するためのコマンドを送信することによって、当該端末装置に出力を指示する（ステップＳ１１７）。
【００６５】
なお、出力コンテンツＡに関する情報がコンテンツテーブルに含まれていない場合もある。すなわち、上記情報がコンテンツテーブルに含まれている場合には（ステップＳ１０９でＹＥＳ）、ＣＰＵ１０は上記ステップＳ１１１，Ｓ１１３の処理を行なって出力装置を決定する。
【００６６】
出力コンテンツＡに関する情報がコンテンツテーブルに含まれていない場合には（ステップＳ１０９でＮＯ）、一例として、ＣＰＵ１０は、コンテンツを解析して含まれる１以上の要素を特定して、要素ごとに、出力装置としてグループに属する端末装置を選択可能に提示した図３の選択画面をディスプレイ１４に表示する。そして、該選択画面に基づいて出力装置を選択するユーザ指示の入力を受け付けると（ステップＳ１１９）、ＣＰＵ１０は、当該ユーザ指示に従って要素ごとの出力装置を決定する（ステップＳ１１５）。
【００６７】
なお、出力コンテンツＡに関する情報がコンテンツテーブルに含まれていない場合、他の例として、ＣＰＵ１０は、要素ごとに出力装置を決定する動作を行なわなくてもよい。この場合、出力コンテンツＡの出力は複数の端末装置で協働して行なわれることがない。
【００６８】
＜実施の形態の効果＞
制御装置として機能する端末装置１００において以上の制御が行なわれることによって、当該端末装置１００に他の端末装置を近づけるという簡単な動作によって、自動的に出力コンテンツＡが近づいた１台以上の端末装置によって協働して出力されることになる。さらに、その際に、各端末装置のコンテンツの出力に関する属性情報および／または状態情報が考慮されて、出力コンテンツＡに含まれる１以上の要素それぞれの出力に最適な属性情報および／または状態情報を有する端末装置が当該要素の出力装置として決定される。そのため、本制御装置である端末装置１００では、コンテンツを１台以上の端末装置で協働して出力する際に、該コンテンツを効果的に、また高品質に出力させることができる。
【００６９】
［第２の実施の形態］
なお、以上の説明では、コンテンツの出力装置としての端末装置１００の制御を、端末装置１００自身が行なうものとしている。しかしながら、制御装置は端末装置１００とは別個の、独立した装置であってもよい。
【００７０】
たとえば、コンテンツを出力可能な端末装置１００がタブレット端末であって、制御装置がスマートフォンであってもよい。この場合、出力コンテンツＡは、制御装置であるスマートフォンのメモリに格納されているコンテンツであってもよいし、グループ化された１台以上の端末装置１００のいずれかのメモリに格納されているコンテンツであってもよいし、制御装置であるスマートフォンまたは端末装置１００に対するユーザ操作で指定されたコンテンツをスマートフォンがインターネットなどのネットワークを経由してサーバ等の他の装置から取得するものであってもよい。
【００７１】
このような場合であっても、第１の実施の形態と同様に、コンテンツを出力可能な１台以上の端末装置で協働して、１つのコンテンツを、効果的に、また高品質に出力することができる。
【００７２】
＜その他＞
開示された特徴は、１つ以上のモジュールによって実現される。たとえば、当該特徴は、回路素子その他のハードウェアモジュールによって、当該特徴を実現する処理を規定したソフトウェアモジュールによって、または、ハードウェアモジュールとソフトウェアモジュールとの組み合わせによって実現され得る。
【００７３】
上述の動作を制御装置、また制御装置である端末装置１００のＣＰＵ１０に実行させるための、１つ以上のソフトウェアモジュールの組み合わせであるプログラムとして提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００７４】
なお、本開示にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本開示にかかるプログラムに含まれ得る。
【００７５】
また、本開示にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本開示にかかるプログラムに含まれ得る。
【００７６】
提供されるプログラム製品は、ハードディスクなどのプログラム格納部にインストールされて実行される。なお、プログラム製品は、プログラム自体と、プログラムが記録された記録媒体とを含む。
【００７７】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００７８】
１０  ＣＰＵ、１１  ＲＯＭ、１２  ＲＡＭ、１３  スピーカ、１４  ディスプレイ、１５  入力装置、１６  第１通信装置、１７  第２通信装置、１８  センサ、１００，１００Ａ，１００Ｂ，１００Ｃ  端末装置、１０１  検出部、１０２  属性入力部、１０３，１０９  格納部、１０４  属性取得部、１０５  パラメータ取得部、１０６  決定部、１０７  出力制御部、１０８  コンテンツ入力部、１１０  指示入力部、１１１  グループ管理部、１２１  属性記憶部、１２２  コンテンツテーブル記憶部。
【図１】
2017038852.tif 000003
【図２】
2017038852.tif 000004
【図３】
2017038852.tif 000005
【図４】
2017038852.tif 000006
【図５】
2017038852.tif 000007
【図６】
2017038852.tif 000008
【図７】
2017038852.tif 000009
【図８】
2017038852.tif 000010
【手続補正書】
【提出日】平成29年6月9日(2017.6.9)
【手続補正１】
【補正対象書類名】特許請求の範囲
【補正対象項目名】全文
【補正方法】変更
【補正の内容】
【特許請求の範囲】
【請求項１】
複数の出力装置を制御可能な制御装置であって、
画像、文字、および音声の３つの要素種のうちの１つ以上の要素種の要素を少なくとも２つ含むコンテンツを記憶するための記憶部と、
前記コンテンツに含まれる各要素の要素種と、前記各要素のパラメータと、前記各出力装置の出力に関する属性情報および前記各出力装置の状態を表した状態情報の少なくとも一方とに基づいて、前記複数の出力装置の中から、前記各要素の出力に適した出力装置を決定するための決定部と、
前記各要素の出力に必要なデータを前記決定部により決定された各出力装置に送信し、該各出力装置に該データの少なくとも一部を出力するよう指示するための出力制御部とを備える、制御装置。
【請求項２】
前記パラメータは、前記要素種が前記画像の場合にはアスペクト比を含み、前記要素種が前記文字の場合には文字数および文字方向のうちの少なくとも１つを含み、前記要素種が前記音声の場合にはステレオの指定およびモノラルの指定のうちの少なくとも１つを含む、請求項１に記載の制御装置。
【請求項３】
前記属性情報は、前記出力装置の前記要素種の出力能力を含み、
前記状態情報は、前記出力装置の向きおよび周辺の環境を表わす値のうちの少なくとも１つを含む、請求項１または２に記載の制御装置。
【請求項４】
前記複数の出力装置のうち、前記制御装置から予め規定された範囲内に存在する出力装置を検出するための検出部をさらに備え、
前記決定部は、前記コンテンツに含まれる各要素の要素種と、前記各要素のパラメータと、前記検出部によって検出された出力装置の出力に関する属性情報および前記検出部によって検出された出力装置の状態を表した状態情報の少なくとも一方とに基づいて、前記検出部によって検出された２台以上の出力装置の中から、前記各要素を出力させるのに適した出力装置を決定する、請求項１から３のいずれか１項に記載の制御装置。
【請求項５】
前記検出部によって前記予め規定された範囲に存在することが検出された２台以上の出力装置をグループとして管理するためのグループ管理部をさらに備え、
前記グループ管理部は、前記グループとして管理された出力装置が前記検出部によって前記予め規定された範囲に存在することが検出されなくなると、前記存在することが検出されなくなった出力装置を前記グループから削除する、請求項４に記載の制御装置。
【請求項６】
前記複数の出力装置のうちの少なくとも２台は、ディスプレイを備え、
前記決定部は、前記ディスプレイを有する各出力装置の前記ディスプレイのアスペクト比が前記コンテンツの画像と一致しない場合、前記ディスプレイが連続して配置されていることを条件に、前記連続して配置されたディスプレイを１つのディスプレイとみなしてアスペクト比を算出し、かつ算出された前記アスペクト比を利用して前記画像を出力させる出力装置を決定する、請求項１から５のいずれか１項に記載の制御装置。
【請求項７】
前記制御装置は、前記各要素のうちの少なくとも１つを出力するための出力部をさらに備えている、請求項１から６のいずれか１項に記載の制御装置。
【請求項８】
前記決定部は、前記制御装置および前記複数の出力装置の中から、前記各要素の出力に適した装置を決定する、請求項７に記載の制御装置。
【請求項９】
複数の出力装置を制御可能な制御装置であって、
画像、文字、および音声の３つの要素種のうちの１つ以上の要素種の要素を少なくとも２つ含むコンテンツを記憶するための記憶部と、
前記コンテンツに含まれる各要素の要素種と、前記各出力装置の出力に関する属性情報および前記各出力装置の状態を表した状態情報の少なくとも一方とに基づいて、前記複数の出力装置の中から、前記各要素の出力に適した出力装置を決定するための決定部と、
前記各要素の出力に必要なデータを前記決定部により決定された各出力装置に送信し、該各出力装置に該データの少なくとも一部を出力するよう指示するための出力制御部とを備える、制御装置。
【請求項１０】
複数の出力装置で、画像、文字、および音声の３つの要素種のうちの１つ以上の要素種の要素を少なくとも２つ含むコンテンツを出力する出力方法であって、
前記コンテンツに含まれる各要素の要素種と、前記各要素のパラメータと、前記各出力装置の出力に関する属性情報および前記各出力装置の状態を表した状態情報の少なくとも一方とに基づいて、前記複数の出力装置の中から、前記各要素の出力に適した出力装置を決定するステップと、
前記各要素の出力に必要なデータを前記決定するステップにおいて決定された各出力装置に送信し、該各出力装置に該データの少なくとも一部を出力するよう指示するステップとを備える、出力方法。
【手続補正３】
【補正対象書類名】明細書
【補正対象項目名】０００１
【補正方法】変更
【補正の内容】
【０００１】
技術分野
［０００１］
本出願は、２０１５年９月３日に出願された特願２０１５−１７３８７５号に対して、優先権の利益を主張するものであり、それを参照することにより、その内容のすべてを本書に含める。
［０００２］
この開示は制御装置、出力装置、および出力方法に関し、特に、コンテンツの出力装置を制御可能な制御装置、当該制御装置を搭載した出力装置、および当該出力装置での出力方法に関する。
背景技術
［０００３］
音声、文字、静止画などの複数の要素を含むコンテンツがある。このようなコンテンツを複数の出力装置で協働して出力する場合がある。たとえば、ある出力装置が音声を出力し、ある出力装置が文字を出力し、ある出力装置が静止画を出力する、などと協働して当該１つのコンテンツが出力される。
［０００４］
たとえば特開２０１０−２６２１５号公報（特許文献１）は、動画像データを出力可能な端末装置を複数集合させて１つのコンテンツを出力する方法を開示している。特許文献１に開示された端末装置は、他の装置の接近を検出し、相対位置を検知する相対位置検出手段を有する。そして、端末装置は、コンテンツ出力時に、ユーザ設定を必要とせずに瞬時に出力を実現するための設定を行なう。
先行技術文献
特許文献
［０００５］
特許文献１：特開２０１０−２６２１５号公報
発明の概要
発明が解決しようとする課題
［０００６］
しかしながら、特許文献１に開示されている方法はコンテンツに含まれる要素の種類を考慮して出力する端末装置が決定されていない。そのため、端
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
複数の端末装置を無線通信によって制御可能な制御端末であって、
各前記端末装置と前記制御端末とは、画像および文字を表示するためのディスプレイおよび音声を出力するマイクの少なくとも一方を有し、
前記画像、前記文字、および前記音声の３つの要素種のうちの１つ以上の要素種の要素を少なくとも２つ含むコンテンツを記憶するための記憶部と、
前記コンテンツに含まれる各要素の要素種と、前記各要素のパラメータと、前記各端末装置の出力に関する属性情報および前記各端末装置の状態を表した状態情報の少なくとも一方とに基づいて、前記複数の端末装置の中から、前記各要素の出力に適した端末装置を決定するための決定部と、
前記各要素の出力に必要なデータを前記決定部により決定された各端末装置に送信し、該各端末装置に該データの少なくとも一部を出力するよう指示するための出力制御部とを備える、制御端末。
【請求項２】
前記パラメータは、前記要素種が前記画像の場合にはアスペクト比を含み、前記要素種が前記文字の場合には文字数および文字方向のうちの少なくとも１つを含み、前記要素種が前記音声の場合にはステレオの指定およびモノラルの指定のうちの少なくとも１つを含む、請求項１に記載の制御端末。
【請求項３】
前記属性情報は、前記端末装置の前記要素種の出力能力を含み、
前記状態情報は、前記端末装置の向きおよび周辺の環境を表わす値のうちの少なくとも１つを含む、請求項１または２に記載の制御端末。
【請求項４】
前記複数の端末装置のうち、前記制御端末から予め規定された範囲内に存在する端末装置を検出するための検出部をさらに備え、
前記決定部は、前記コンテンツに含まれる各要素の要素種と、前記各要素のパラメータと、前記検出部によって検出された端末装置の出力に関する属性情報および前記検出部によって検出された端末装置の状態を表した状態情報の少なくとも一方とに基づいて、前記検出部によって検出された２台以上の端末装置の中から、前記各要素を出力させるのに適した端末装置を決定する、請求項１から３のいずれか１項に記載の制御端末。
【請求項５】
前記検出部によって前記予め規定された範囲に存在することが検出された２台以上の端末装置をグループとして管理するためのグループ管理部をさらに備え、
前記グループ管理部は、前記グループとして管理された端末装置が前記検出部によって前記予め規定された範囲に存在することが検出されなくなると、前記存在することが検出されなくなった端末装置を前記グループから削除する、請求項４に記載の制御端末。
【請求項６】
前記複数の端末装置のうちの少なくとも２台は、ディスプレイを備え、
前記決定部は、前記ディスプレイを有する各端末装置の前記ディスプレイのアスペクト比が前記コンテンツの画像と一致しない場合、前記ディスプレイが連続して配置されていることを条件に、前記連続して配置されたディスプレイを１つのディスプレイとみなしてアスペクト比を算出し、かつ算出された前記アスペクト比を利用して前記画像を出力させる端末装置を決定する、請求項１から５のいずれか１項に記載の制御端末。
【請求項７】
前記制御端末は、前記各要素のうちの少なくとも１つを出力するための出力部をさらに備えている、請求項１から６のいずれか１項に記載の制御端末。
【請求項８】
前記決定部は、前記制御端末および前記複数の端末装置の中から、前記各要素の出力に適した装置を決定する、請求項７に記載の制御端末。
【請求項９】
複数の端末装置を無線通信によって制御可能な制御端末であって、
各前記端末装置と前記制御端末とは、画像および文字を表示するためのディスプレイおよび音声を出力するマイクの少なくとも一方を有し、
前記画像、前記文字、および前記音声の３つの要素種のうちの１つ以上の要素種の要素を少なくとも２つ含むコンテンツを記憶するための記憶部と、
前記コンテンツに含まれる各要素の要素種と、前記各端末装置の出力に関する属性情報および前記各端末装置の状態を表した状態情報の少なくとも一方とに基づいて、前記複数の端末装置の中から、前記各要素の出力に適した端末装置を決定するための決定部と、
前記各要素の出力に必要なデータを前記決定部により決定された各端末装置に送信し、該各端末装置に該データの少なくとも一部を出力するよう指示するための出力制御部とを備える、制御端末。
【請求項１０】
複数の端末装置を無線通信によって制御可能な制御端末における出力方法であって、
各前記端末装置と前記制御端末とは、画像および文字を表示するためのディスプレイおよび音声を出力するマイクの少なくとも一方を有し、かつ、前記制御端末は、前記画像、前記文字、および前記音声の３つの要素種のうちの１つ以上の要素種の要素を少なくとも２つ含むコンテンツを記憶しており、
前記出力方法は、
前記コンテンツに含まれる各要素の要素種と、前記各要素のパラメータと、前記各端末装置の出力に関する属性情報および前記各端末装置の状態を表した状態情報の少なくとも一方とに基づいて、前記複数の端末装置の中から、前記各要素の出力に適した端末装置を決定するステップと、
前記各要素の出力に必要なデータを前記決定するステップにおいて決定された各端末装置に送信し、該各端末装置に該データの少なくとも一部を出力するよう指示するステップとを備える、出力方法。
【国際調査報告】
2017038852.tif 000011
2017038852.tif 000012
2017038852.tif 000013
2017038852.tif 000014